(57)【要約】【課題】種々の用途に応じたサイズが変更であり、すなわち、クッション性、通気性を備え、各種福祉設備に対応させて脱臭、抗菌、マイナスイオン効果等を備え、リハビリ基材としての機能も備えたマットレス基材を提供する。【解決手段】貫通孔の外周に略円形の山形弾性材層１ａを形成すると共に貫通孔間に谷形弾性材層１ｂを形成した細長い単位基体１の一方の側に突出接続片３を設け、他方の側に前記突出接続片の嵌合溝４を設け、かつ、複数で個々に独立した貫通孔２を設けた弾性体であって、隣り合う前記単位基体間の突出接続片３と嵌合溝４とを連結したことを特徴とするマット状連結体である。【選択図】        図１
2004154325.tif 000002
【特許請求の範囲】
【請求項１】
貫通孔の外周に略円形の山形弾性材層を形成すると共に貫通孔間に谷形弾性材層を形成した細長い単位基体の一方の側に突出接続片を設け、他方の側に前記突出接続片の嵌合溝を設け、かつ、複数で個々に独立した貫通孔を設けた弾性体であって、隣り合う前記単位基体間の突出接続片と嵌合溝とを連結したことを特徴とするマット状連結体。
【請求項２】
山形弾性材層の大小層厚の異なる大きさのものを連結した請求項１記載のマット状連結体。
【発明の詳細な説明】
【０００１】
【発明の属する技術分野】
本発明は、複数の単位基体を任意に連結して所望のサイズの弾性マット或いは、その他各種弾性を要する設備に使用可能なマット状連結体に関する。
【０００２】
【従来の技術】
従来、マットレスの基材としては、ウレタン等の所定の大きさに成形したものが用いられてきた（例えば、特許文献１）。しかし、所定の大きさのものは種々の用途に応じたサイズ変更によって、過不足が生じたり、裁断屑も生じる。最近では収納スペースをとらず、簡単な作業で、種々の用途に応じた組立マットを形成するために、少なくとも２つ以上の基材を組み合わせることで組み立てられる組立式マットが提案されている（例えば、特許文献２）。これは、所定幅の内径を有する挿通孔が形成された中空円筒形状の内層部と、この内層部の外径とほぼ同一の内径を有する中空部とを備え、その周壁の一部分に軸線方向に沿って所定幅のガイド溝が形成されている断面ほぼＣ字形状を呈する中空円筒形状の外層部とが、ガイド溝内に嵌合し得るガイド板によって一体に連結された構造である。
【０００３】
【特許文献１】
特開２００２−２２３９００号公報（第１頁、図１）
【特許文献２】
特開２００２−１０２０１７号公報（第１頁、図３）
【０００４】
前記特許文献２の構造のように、せっかく中空円筒形状にしても一体時に芯材や嵌合い構造で埋まってしまうと、クッション性、通気性等の仕様を満足できない。マットレス基材としては、掛かる荷重の分配が充分に行われず、すなわち、硬さを持たせようとすれば極所に対する押圧力となり、逆に柔らかさを重点にすれば、沈むことで通気性を損ない断熱構造となる。このように硬軟の調整が困難である。
【０００５】
【発明が解決しようとする課題】
本発明は、従来より要望されている種々の用途に応じたサイズが変更可能であり、マットレスの基材として要望される性能、すなわち、クッション性、通気性を備え、かつ、各種福祉設備に対応させて脱臭、抗菌、マイナスイオン効果等を備え、加えて、リハビリ基材としての機能も備えたマットレス基材を提供しようとするものである。
【０００６】
【課題を解決するための手段】
貫通孔の外周に略円形の山形弾性材層を形成すると共に貫通孔間に谷形弾性材層を形成した細長い単位基体の一方の側に突出接続片を設け、他方の側に前記突出接続片の嵌合溝を設け、かつ、複数で個々に独立した貫通孔を設けた弾性体であって、隣り合う前記単位基体間の突出接続片と嵌合溝とを連結したことを特徴とするマット状連結体とした。
【０００７】
本発明でいう複数の貫通孔とは、２〜４個、好ましくは２個（メガネ形）が個々に独立した構造のものであって、各種福祉設備に対応させて、脱臭、抗菌、マイナスイオン効果、リハビリ基材としての機能等を保持させるために孔は独立した構造（パイプ構造）が好ましい。
【０００８】
マット状連結体の山形弾性材層は、大小層厚の異なる大きさのものを用いて連結することによって、足裏等の接触部位への反発力が変わり、リハビリ基材等としての機能を発揮できる。また、全体の厚みを同じとした場合、貫通孔の孔径を変えることによって、反発力を変えることができ、各種福祉設備に応じた仕様とすることができる。
【０００９】
また、公知の活性炭、竹炭等の脱臭剤や抗菌剤を弾性材層中に配合したり、竹炭やトルマリンを配合してマイナスイオン効果等の機能を付与させることもできる。貫通孔の内壁へ付着させてもよい。
【００１０】
【発明の実施の形態】
図１は本発明のマット状連結体の組み立て時の斜視図であり、図２は図１中Ａ−Ａ部拡大断面図である。図３は本発明のマット状連結体の側面図である。これらの図にみられるように、本発明は２個の独立した貫通孔２を設けたマットの幅方向に細長い単位基体１の弾性体を多数個連結してマット状連結体を形成するようになっている。貫通孔２の外周には略円形の山形弾性材層１ａを形成すると共に貫通孔間に谷形弾性材層１ｂを形成している。山形弾性材層１ａも谷形弾性材層１ｂも身体への接触面側にのみ設け、他側は扁平な面としてもよい。
【００１１】
連結を可能にするため、細長い単位基体１の一方の側に突出接続片３を設け、かつ、他方の側に前記突出接続片３を連結するための嵌合溝４を設けている。突出接続片３の端部と嵌合溝４の奥は連結を強固にするためテーパ部３ａ，４ａを設けて拡大している。いわゆる、断面鳩尾形嵌合いである。このような隣り合う単位基体１，１間の突出接続片３と嵌合溝４とを連結するようにしている。
【００１２】
図４の例は、全体の厚みを図３のものと同じにしているが、貫通孔２の孔径を小さく変えることによって、反発力を変えることができ、山形弾性材層１ａを硬くした例である。単位基体１で構成する弾性材の材質は、ゴム、合成樹脂エラストマー等の弾性を有するものでもよいが、ポリエチレン発泡体、ポリウレタン発泡体等の合成樹脂発泡体を用いるとよい。
【００１３】
本発明のマット状連結体の山形弾性材層１ａは、図５のように大小層厚の異なる大きさのものを用いて連結することもできる。このような態様にすると、マット内の厚みが変化して、足裏等の接触部位への反発力がマット内の位置によって変わり、リハビリ基材等としての機能を発揮できる。更に、本発明のマット状連結体は一重だけでなく多重に用いることによって、各種福祉設備等に応じた仕様とすることもできる。
【００１４】
【発明の効果】
本発明のマット状連結体は、種々の用途に応じたサイズのものが作成可能である。また、マットレスの基材として要望されるクッション性、通気性等の性能を備えている。その上で、貫通孔の孔径を変えるとか、山形弾性材層の大小層厚の異なる大きさのものを用いることによって、リハビリ基材としての機能を持たせることもできる。
【００１５】
更に、単位基体の弾性材内又は貫通孔内に脱臭、抗菌、マイナスイオン効果等を発揮する物質を具備させることにより、各種健康機器設備に対応させた性能のものとすることができる。
【図面の簡単な説明】
【図１】本発明のマット状連結体の組み立て時の斜視図である。
【図２】図１中Ａ−Ａ部拡大断面図である。
【図３】本発明のマット状連結体の側面図である。
【図４】他の実施例のマット状連結体の側面図である。
【図５】他の実施例のマット状連結体の側面図である。
【符号の説明】
１  単位基体
１ａ  山形弾性材層
１ｂ  谷形弾性材層
２  貫通孔
３  突出接続片
３ａ  テーパ部
４  嵌合溝
４ａ  テーパ部
【図１】
2004154325.tif 000003
【図２】
2004154325.tif 000004
【図３】
2004154325.tif 000005
【図４】
2004154325.tif 000006
【図５】
2004154325.tif 000007